(57)【要約】      （修正有）【課題】天井の外観を損なわず、かつ工期が長くなったり費用がかさんだりせずに施工することの可能な天井の落下防止構造を提供する。【解決手段】下面に天井パネル１５が取り付けられる複数の野縁１４及びこの野縁１４の上に略直交して結合される複数の野縁受け１３と、この野縁受け１３を吊支する複数の吊ボルト１１とを備える天井において、天井パネル１５の下面に配置されて野縁受け１３と略平行な方向へ延びる支持材２と、天井パネル１５に開設した貫通孔に挿通されると共に上部が野縁受け１３に掛止され下部が支持材２の下面に当接される吊金具３を備える。【選択図】図１
2015190301.tif 000002
【特許請求の範囲】
【請求項１】
下面に天井パネルが取り付けられる複数の野縁及びこの野縁の上に略直交して結合される複数の野縁受けと、この野縁受けを吊支する複数の吊ボルトとを備える天井において、天井パネルの下面に配置されて前記野縁受けと略平行な方向へ延びる支持材と、前記天井パネルに開設した貫通孔に挿通されると共に上部が前記野縁受けに掛止され下部が前記支持材の下面に当接される吊金具を備えることを特徴とする天井の落下防止構造。
【請求項２】
吊金具は、天井パネルに開設された貫通孔に挿通されて上端が野縁受けに掛止可能な屈曲形状のフックが形成され下部に雄螺子が形成された軸部材と、前記雄螺子に螺合されるナットと、前記軸部材の周りに回転可能かつ軸方向移動可能に設けられると共に前記ナットによって支持材に押し付けられる受け板からなるものであり、前記貫通孔が、前記フックを通すことが可能なスリット状をなすことを特徴とする請求項１に記載の天井の落下防止構造。
【発明の詳細な説明】
【技術分野】
【０００１】
本発明は、天井パネルが取り付けられる野縁と野縁受けからなる天井下地材を吊りボルトによって吊支した天井であって、特に、既存天井の落下防止に有用な構造に関する。
【背景技術】
【０００２】
例えば鉄筋コンクリート造のオフィスビル、商業施設などの建物の天井には、吊り天井が多く用いられている。この種の天井は、所定間隔で水平かつ互いに平行に並設される複数の野縁と、この野縁と直交する方向へ延び、水平かつ互いに平行に並設されると共に前記複数の野縁の上に金具（クリップ）を介して結合される複数の野縁受けによって天井下地材を構築し、この天井下地材を、下端が前記野縁受けに金具（ハンガー）を介して結合されると共に上端が上階の床スラブ等に固定される複数の吊りボルトによって吊支し、下階の天井面を形成する天井パネルを前記野縁の下面にビス等によって一体に取り付けた構造となっている（例えば下記の特許文献１参照）。
【０００３】
また、従来このような構造の既存の天井は、地震発生時に大きく横揺れすると、その端部が壁などに衝突して、その衝撃によって天井パネルやそれを取り付けた野縁が落下するおそれがある。そして、このような落下事故を防止するための方策としては、天井パネルの下面に防護ネットを設置したり（例えば下記の特許文献２参照）、天井裏空間にワイヤを設置して二次部材で野縁などを緊結したり、補強金具で野縁と野縁受けの結合部を補強すること（例えば下記の特許文献３参照）などが知られている。
【先行技術文献】
【特許文献】
【０００４】
【特許文献１】特開２００７−２９１７６１号公報
【特許文献２】特開２０１３−０８７５３０号公報
【特許文献３】特開２０１３−０８５００２号公報
【発明の概要】
【発明が解決しようとする課題】
【０００５】
しかしながら、天井の下面に防護ネットを設置することは、外観上好ましいとは言えないものであり、ワイヤや補強金具で野縁と野縁受けの結合部などを緊結して補強する方法は、天井裏空間内での工事となるため、施工の際に天井内足場などの設置が必要となり、しかも施工対象個所が多いため、工期が長くなったり費用がかさんだりするといった問題があった。
【０００６】
本発明は、以上のような点に鑑みてなされたものであって、その技術的課題とするところは、天井の外観を損なわず、かつ工期が長くなったり費用がかさんだりせずに施工することの可能な天井の落下防止構造を提供することにある。
【課題を解決するための手段】
【０００７】
上述した技術的課題を有効に解決するための手段として、請求項１の発明に係る天井の落下防止構造は、下面に天井パネルが取り付けられる複数の野縁及びこの野縁の上に略直交して結合される複数の野縁受けと、この野縁受けを吊支する複数の吊ボルトとを備える天井において、天井パネルの下面に配置されて前記野縁受けと略平行な方向へ延びる支持材と、前記天井パネルに開設した貫通孔に挿通されると共に上部が前記野縁受けに掛止され下部が前記支持材の下面に当接される吊金具を備えるものである。
【０００８】
請求項１の構成によれば、吊金具は、支持材を介して天井パネルを野縁受けに吊支するものであり、言い換えれば、野縁とその下面に取り付けられた天井パネルを野縁受けと支持材との間に挟み込んだ状態に設けることによって、野縁からの天井パネルの分離あるいは野縁受けからの野縁の分離による落下を防止するものである。そしてこの吊金具は、天井パネルの下側から、この天井パネルに開設した貫通孔を通して上部を野縁受けに掛止させると共に、下部を天井パネルの下面に配置した支持材に当接させることで取り付けることができる。
【０００９】
請求項２の発明に係る天井の落下防止構造は、請求項１に記載された構成において、吊金具は、天井パネルに開設された貫通孔に挿通されて上端が野縁受けに掛止可能な屈曲形状のフックが形成され下部に雄螺子が形成された軸部材と、前記雄螺子に螺合されるナットと、前記軸部材の周りに回転可能かつ軸方向移動可能に設けられると共に前記ナットによって支持材に押し付けられる受け板からなるものであり、前記貫通孔が、前記フックを通すことが可能なスリット状をなすものである。
【００１０】
請求項２の構成によれば、天井パネルに開設したスリット状の貫通孔を通して軸部材のフックを野縁受けの高さ以上まで押し上げてから、これを適当に回転させながら野縁受けに引っ掛け、軸部材の下部の雄螺子にナットで受け板を支持材に締め付けることによって、野縁とその下面に取り付けられた天井パネルを野縁受けと支持材との間に挟み込んだ状態に設けることができる。
【発明の効果】
【００１１】
本発明に係る天井の落下防止構造によれば、吊金具によって、支持材を介して天井パネル及び野縁を野縁受けに懸吊するものであるため、地震などによる野縁及び天井パネルの落下事故を有効に防止することができる。そして天井パネルの下側から、この天井パネルに開設した貫通孔を通して吊金具の上部を野縁受けに掛止させ、下部を天井パネルの下面に配置した支持材に緊結することで施工されるため、天井内足場などの設置が不要であり、工期や費用を軽減することができ、しかも防護ネットのように天井の下面全体を覆うものではないため、外観を損なわない。
【図面の簡単な説明】
【００１２】
【図１】本発明に係る天井の落下防止構造の好ましい実施の形態を、室内空間と共に示す説明図である。
【図２】本発明に係る天井の落下防止構造の好ましい実施の形態を示す要部断面図である。
【図３】本発明に係る天井の落下防止構造の好ましい実施の形態を示す要部下面図である。
【図４】本発明に係る天井の落下防止構造の好ましい実施の形態において、天井パネルに開設した貫通孔へ吊金具の上部を挿入する作業を示す斜視図である。
【発明を実施するための形態】
【００１３】
以下、本発明に係る天井の落下防止構造の好ましい実施の形態について、図面を参照しながら説明する。まず図１において、参照符号１は天井、参照符号１００は鉄骨鉄筋コンクリート造などの建物における躯体スラブ、１０１は建物における壁面、１０２は天井１の外周部の下面に沿ってと壁面１０１に設けた天井廻縁、１０３は床面、１０４は壁面１０１の下部に設けた幅木（蹴込）、Ｓ１は天井１の下側の室内空間、Ｓ２は天井１の上側の天井裏空間である。
【００１４】
天井１は、既設の天井であって吊天井構造となっており、図１及び図２に示すように、躯体スラブ１００に垂設した多数の吊りボルト１１の下端に吊金具であるハンガー１２を介してめっき鋼板等を断面コ字形に成形した棒状の複数の野縁受け１３を水平かつ互いに平行に吊支し、この野縁受け１３の下に、不図示の結合金具を介してめっき鋼板等を断面コ字形に成形した棒状の複数の野縁１４を直交するように、水平かつ互いに平行に取り付けることによって、格子状の天井下地材を構築し、野縁１４の下面に耐火ボードからなる多数の天井パネル１５を互いに縦横に並べて敷き詰めた状態に取り付けたものである。なお、参照符号１６は天井１に取り付けられた照明器具である。
【００１５】
天井１の天井パネル１５の下面には、複数の細長い支持材２が互いに平行に配置されている。この支持材２は、例えばＣＦＲＰラミネート（炭素繊維板）、軽量鉄骨、鋼板などから選択された材料からなるものであって、図３に示すように、野縁受け１３と略平行な方向（野縁１４と略直交する方向）へ延びている。
【００１６】
支持材２は、それぞれその長手方向複数個所で、吊金具３によって野縁受け１３に吊支されている。詳しくは、この吊金具３は、図２及び図４などに示すように、天井パネル１５に開設された貫通孔１５ａに挿通されて上端が野縁受け１３に掛止可能な屈曲形状のフック３１ａが形成され下部に雄螺子３１ｂが形成された軸部材３１と、この軸部材３１の雄螺子３１ｂに螺合されるナット（好ましくはダブルナット）３２と、軸部材３１の下部の周りに回転可能かつ軸方向移動可能に設けられると共にナット３２によって支持材２の下面に押し付けられる受け板３３と、ナット３２と受け板３３の間に介在されるワッシャ３４からなるものである。軸部材３１は、野縁受け１３の上面と天井パネル１５の下面との距離ｈ（図２参照）よりも、少なくともナット３２とワッシャ３４と受け板３３の厚さの和以上長いものとなっている。
【００１７】
天井パネル１５の貫通孔１５ａは、吊金具３の軸部材３１のフック３１ａを通すことが可能で支持材２（言い換えれば野縁受け１３）の長手方向に細長いスリット状をなし、図３及び図４に示すように、野縁受け１３の縁の真下に位置して開設されている。
【００１８】
上記構成を備える天井の落下防止構造によれば、吊金具３は、支持材２を介して天井パネル１５を、吊りボルト１１によって躯体スラブ１００に吊支された野縁受け１３に懸吊するものであり、すなわち、野縁１４とその下面に取り付けられた天井パネル１５を、野縁受け１３と支持材２の間に挟み込んだ状態に設けることによって、野縁１４からの天井パネル１５の脱落あるいは野縁受け１３からの野縁１４の脱落による落下を防止するものである。したがって、地震によって天井１が大きく揺れた場合に、野縁１４及び天井パネル１５が落下するのを有効に防止し、安全性を高めることができる。
【００１９】
しかも支持材２は防護ネットのように天井パネル１５の下面を覆うものではないため、下側（室内空間Ｓ１）から見た外観を損なわないものであり、吊金具３は、溶接部などが存在しないため、安価に提供することができる。
【００２０】
上記構成を備える天井の落下防止構造によって、既存の天井の耐震性を向上させるには、図３に示すように、天井パネル１５の下面に、支持材２を野縁受け１３と略平行に配置し、この支持材２に沿って、図４に示すように、細長いスリット状の貫通孔１５ａを天井パネル１５に開設する。なお好ましくは、支持材２は接着剤もしくは他の適切な手段によって天井パネル１５の下面に仮止めしておく。
【００２１】
次に、野縁受け１３と支持材２の間に吊金具３を取り付ける。詳しくは、軸部材３１には予めナット３２、ワッシャ３４及び受け板３３を組み込んでおき、図４に示すように、軸部材３１の上部のフック３１ａを、天井パネル１５に開設されたスリット状の貫通孔１５ａを通して、天井裏空間Ｓ２内へ挿入し、野縁受け１３の高さ以上まで押し上げてから、軸部材３１を適当に回転させることによって、図２に示すようにフック３１ａを野縁受け１３に引っ掛ける。軸部材３１は、野縁受け１３の上面と天井パネル１５の下面との距離ｈよりもやや長いため、軸部材３１の雄螺子３１ｂは、天井パネル１５の貫通孔１５ａから下側へ突出した状態となる。
【００２２】
そして、軸部材３１の雄螺子３１ｂに組み込まれた受け板３３を支持材３３の下側に位置するように適宜回転させ、この受け板３３をナット３２で支持材３３に締め付けることによって、吊金具３は、野縁１４とその下面に取り付けられた天井パネル１５を野縁受け１３に懸吊した状態、言い換えれば野縁受け１３と支持材２との間に挟み込んだ状態に取り付けられる。
【００２３】
したがって、これらの作業はすべて天井１の下側、すなわち室内空間Ｓ１で行うことができるため、天井裏空間Ｓ２への天井内足場などの設置が不要であり、工期や費用を軽減することができる。また、ナット３２はダブルナットとすることによって、緩んだり脱落したりすることがなく、受け板３３をしっかりと支持することができる。
【産業上の利用可能性】
【００２４】
本発明による天井の耐震構造は、既存天井の耐震補強工事において好適に実施することができる。
【符号の説明】
【００２５】
１  天井（既存天井）
１３  野縁受け
１４  野縁
１５  天井パネル
１５ａ  貫通孔
２  支持材
３  吊金具
３１  軸部材
３１ａ  フック
３１ｂ  雄螺子
３２  ナット
３３  受け板
３４  ワッシャ
１００  躯体スラブ
【図１】
2015190301.tif 000003
【図２】
2015190301.tif 000004
【図３】
2015190301.tif 000005
【図４】
2015190301.tif 000006